(57)【要約】【課題】ローターのハブを単一の型で同時に多型孔が成形される方式により迅速に生産でき、また成形された後のローターのハブを簡単、迅速かつ強固に金属リングおよび磁石リングと結合でき、さらにファンホイールを迅速に加工して成形できると共に、コストを低く抑えることができるローターの構造を提供する。【解決手段】ローターはハブ、金属リングおよび磁石リングにより構成される。ハブには内上平面と内環状壁が形成され、さらにハブには複数個の係止部材が設けられ、内上平面の中央には中心軸と結合するための軸座が設けられ、内環状壁は金属リングが緊密に嵌設するのに用いられる。金属リングには係止縁端が設けられ、係止縁端はハブに設けられた係止部材が係止して結合するのに用いることができ、さらに金属リングの内周壁には磁石リングが一体になるように結合される。【選択図】　　図１
0003097932.tif 000002
【実用新案登録請求の範囲】
【請求項１】
ハブ（１）、金属リング（２）および磁石リング（３）により構成されるローターの構造であって、ハブ（１）には内上平面（１１）と内環状壁（１４）が形成され、さらにハブ（１）には複数個の係止部材（１５）が設けられ、金属リング（２）はハブ（１）の内環状壁（１４）に結合され、金属リング（２）には係止縁端（２１）が設けられ、係止縁端（２１）はハブ（１）に設けられた係止部材（１５）が係止して一体に結合するのに用いられることができ、磁石リング（３）は金属リング（２）の内部に結合されると共に、金属リング（２）と一体になるように形成されることを特徴とするローターの構造。
【請求項２】
係止部材（１５）には逆さフック（１５１）が設けられると共に、ハブ（１）の内上平面（１１）の位置に設けられ、金属リング（２）の係止縁端（２１）はその一端から突出したリップ縁からなることにより、係止部材（１５）は逆さフック（１５１）により金属リング（２）の一端に突出したリップ縁に係止されて両者の結合は固定するように形成されることを特徴とする請求項１記載のローターの構造。
【請求項３】
係止部材（１５）には逆さフック（１５１）が設けられると共に、ハブ（１）の底端縁から延伸して形成され、金属リング（２）はその底縁端から係止縁端（２１）が形成されることにより、係止部材（１５）は逆さフック（１５１）により金属リング（２）の底端縁に係止されて両者の結合は固定するように形成されることを特徴とする請求項１記載のローターの構造。
【請求項４】
ハブ（１）の内環状壁（１４）には複数本の軸方向へ突出した突出リブ（１４１）が設けられ、金属リング（２）の円周の直径はハブ（１）の複数個の突出リグ（１４１）が囲んだ円周の直径より大きく形成されることにより、金属リング（２）の外周壁はハブ（１）の内環状壁（１４）に緊密に嵌設するように形成されることを特徴とする請求項１記載のローターの構造。
【請求項５】
ハブ（１）の内上平面（１１）の中央位置には軸座（１１１）が設けられ、軸座（１１１）には中心軸（１２）が結合されることを特徴とする請求項１記載のローターの構造。
【請求項６】
ハブ（１）の外周壁には複数個の羽根（１３）が設けられてファンホイールに形成されることを特徴とする請求項１記載のローターの構造。
【請求項７】
突出リグ（１４１）の数は奇数に形成されることを特徴とする請求項１記載のローターの構造。
【請求項８】
係止部材（１５）の数は奇数に形成されることを特徴とする請求項１記載のローターの構造。
【考案の詳細な説明】
【０００１】
【考案の属する技術分野】
本考案は、ローターの構造に関するもので、特にファンホイールの功能を有したローターの構造で、ローターの金属リング、磁石リングとハブそのものは簡単に加工して製造されると共に、金属リングとハブとの結合が迅速かつ簡単にできるローターの構造に係るものである。
【０００２】
【従来の技術】
従来この種のものにあっては、下記のようなものになっている。
【０００３】
従来のファンのモーターの構造としては、図６に示すように、モーター９０の枠座９１の軸管９２の外径にはコイルを有したステータ９３が設けられ、軸管９２にはローター９５の中心軸９６が枢着するための軸受９４が設けられ、ローター９５には金属リング９７と磁石リング９８が設けられる。また、金属リング９７、磁石リング９８とローター９５との結合は出願人が以前出願した「一体成形のファンホイールの型の構造」に基づき、金属リング９７、磁石リング９８をファンホイールを成形する型に置き入れることにより、金属リング９７、磁石リング９８をファンホイールと一体成形に形成させるようにとしたものがある（例えば、特許文献１を参照）。
【０００４】
【特許文献１】
中華民国專利公報第４７９６１６号
【０００５】
【考案が解決しようとする課題】
上記のような従来のファンのモーターの構造においては、成形されたファンホイールが回転時において平衡に回転することができるようにするべく、従来の金属リング、磁石リングとファンホイールによる一体成形の製造方式においては、その成形の型は一回に付き一個のファンホイールの完成品しか射出できない。もし上記の型で一回で二個以上のファンホイールの完成品を同時に成形させる場合、予め置き入れられた各型の内部の各金屬リング、磁石リングの温度が異なることにより、毎回の成形型の温度を正確に制御することができないため、熔融されたプラスチック原料は型の内部における流動の速度も異なり、さらにプラスチック原料がそれぞれ型孔の内部の異なる温度の金属リング、磁石リングと接触した後、異なる結果が生じてしまう。そのため、一回で複数個のファンホイールを成形する方式では、一定の回転の平衡効果を獲得できるように各ファンホイールを制御することができない。すなわち、一回で複数個のファンホイールを成形する従来の方式では、その完成品の良品率は予定の要求に達することができないことにより、従来の金属リングと一体成形のファンホイールは一回で一個しか成形できないため、生産速度が遅くなると共に、コストが高くなるという問題点があった。そのため、上記のような従来のファンのモーターの構造をさらに改良しなければならない。
【０００６】
本考案は、このような問題点に鑑みて考案したものであって、その目的とするところは、ローターのハブを単一の型で同時に多型孔が成形される方式により迅速に生産することができ、また成形された後のローターのハブを簡単、迅速かつ強固に金属リングおよび磁石リングと結合することができ、さらにファンホイールを迅速に加工して成形することができると共に、コストを低く抑えることができるローターの構造を提供しようとするものである。
【０００７】
【課題を解決するための手段】
上記目的を達成するために、本考案によるローターの構造は、下記のようになるものである。すなわち、
ハブ、金属リングおよび磁石リングにより構成される。ハブには内上平面と内環状壁が形成され、さらにハブには複数個の係止部材が設けられる。金属リングはハブの内環状壁に結合され、金属リングには係止縁端が設けられ、係止縁端はハブに設けられた係止部材が係止して一体に結合するのに用いられることができる。磁石リングは金属リングの内部に結合されると共に、金属リングと一体になるように形成される。
【０００８】
本考案によるローターの構造は、係止部材には逆さフックが設けられると共に、ハブの内上平面の位置に設けられ、金属リングの係止縁端はその一端から突出したリップ縁からなることにより、係止部材は逆さフックにより金属リングの一端に突出したリップ縁に係止されて両者の結合は固定するように形成することもできる。また、係止部材には逆さフックが設けられると共に、ハブの底端縁から延伸して形成され、金属リングはその底縁端から係止縁端が形成されることにより、係止部材は逆さフックにより金属リングの底端縁に係止されて両者の結合は固定するように形成することもできる。また、ハブの内環状壁には複数本の軸方向へ突出した突出リブが設けられ、金属リングの円周の直径はハブの複数個の突出リグが囲んだ円周の直径より大きく形成されることにより、金属リングの外周壁はハブの内環状壁に緊密に嵌設するように形成することもできる。また、ハブの内上平面の中央位置には軸座が設けられ、軸座には中心軸が結合することもできる。また、ハブの外周壁には複数個の羽根が設けられてファンホイールに形成することもできる。また、突出リグの数は奇数に形成することもできる。また、係止部材の数は奇数に形成することもできる。
【０００９】
【考案の実施の形態】
本考案の実施の形態について、以下、図面を参照して説明する。
【００１０】
【実施形態１】
図１は本考案の実施形態１のローターの構造による分解斜視図で、本考案の実施形態１のローターはハブ１、金属リング２および磁石リング３などの部材により構成される。
【００１１】
ハブ１には内上平面１１と内環状壁１４が形成され、内上平面１１の中央位置には中心軸２と枢着するための軸座１１１が設けられる。ハブ１の外周壁には複数個の羽根１３が設けられてファンホイールに形成される。ハブ１の内環状壁１４には複数個の軸方向の突出リグ１４１が設けられる。最良な実施形態として、突出リブ１４１の数は好ましくは奇数に形成される。ハブ１の内上平面１１の位置には複数個の係止部材１５が設けられ、係止部材１５には逆さフック１５１が形成される。さらに係止部材１５を弾いて係止の状態を解除させるべく、係止部材１５の側辺のハブ１の内上平面１１には孔１６が設けられ、孔１６に桿や棒などの柱状物を伸入することにより、係止部材１５を弾いたり押圧したりすることができる。また、最良な実施形態として、係止部材１５は、好ましくは、奇数個設けられる。
【００１２】
金属リング２には係止縁端２１が設けられ、係止縁端２１は金属リング２の一端に設けられた突出のリップ縁からなり、係止縁端２１は係止部材１５の逆さフック５１が係止するのに用いられることができる。金属リング２の内周壁は磁石リング３が結合するのに用いられることができるため、金属リング２と磁石リング３は緊密に一体になるように形成される。結合後の金属リング２と磁石リング３はハブ１の内環状壁１４に嵌設されることができる。さらに金属リング２の直径は複数個の突出リグ１４１が囲んだ円周の直径より大きくまたは同じになるように形成されるため、金属リング２と磁石リング３は緊密な結合方式によりハブ１の内環状壁１４に係止される。
【００１３】
図２、３を参照すると、本考案の金属リング２と磁石リング３がハブ１の内環状壁１４に結合された状態が示されている。金属リング２と磁石リング３が先に緊密に一体になるように結合されてから、再びハブ１の内環状壁１４に置き入れられ、そして金属リング２の直径は複数個の突出リグ１４１が囲んだ円周の直径より大きくまたは同じになるように形成されるため、突出リブ１４１により金属リング２を緊密に挟むように形成される。また、ハブ１の突出リブ１４１の数が奇数に形成された時、突出リブ１４１は非対称的になって金属リング２をきつく挟むように形成されるため、比較的よい固定の効果を獲得することができる。さらに、金属リング２の係止縁端２１は係止部材１５の逆さフック１５１が係止するのに用いられることができるため、金属リング２と磁石リング３はハブ１の内環状壁１４に緊密に結合される。結合後の金属リング２と磁石リング３をハブ１から取り出そうとする時、桿や棒などの柱状物により孔１６から伸入して係止部材１５を押圧したり弾いたりすることができるため、金属リング２と磁石リング３はハブ１から離脱する。
【００１４】
【実施形態２】
図４は本考案の実施形態２のローターの構造による組立てられた状態の断面図で、図５は図４のＢの部分の拡大図である。実施形態２と実施形態１との相違点は係止部材１５が設けられた位置で、実施形態２の係止部材１５はハブ１の内環状壁１４の底端縁から延伸して形成されると共に、係止部材１５にも同様に一体の逆さフック１５１が形成され、そして逆さフック１５１により金属リング２の底縁端に形成された係止縁端２に係止されることができるため、金属リング２と磁石リング３はハブ１の内環状壁１４に係止して固定される。
【００１５】
本考案の構造において、ハブ１は単一型の多数型孔により同時に成形されることができるため、ハブ１が成形時において金屬リング２と磁石リング３を埋め込む必要がないため、ハブ１を成形する型はその開閉の時間を正確に制御することができることにより、型の温度を正確に制御することができる。このように、ハブ１は単一の型で複数個のハブ１を同時に成形することができるため、ハブ１の製造速度を速めることができると共に、製造コストを低く抑えることができる。さらに、成形された各ハブ１を迅速かつ簡単に金属リング２および磁石リング３と結合して固定することができるため、一定の品質を有したハブ１を形成することができると共に、ハブ１により製造されたファンホイールは平衡な回転の効果を獲得することができる。
【００１６】
【考案の効果】
本考案のローターの構造によれば、ローターのハブを単一の型で同時に多型孔が成形される方式により迅速に生産することができ、また成形された後のローターのハブを簡単、迅速かつ強固に金属リングおよび磁石リングと結合することができ、さらにファンホイールを迅速に加工して成形することができると共に、コストを低く抑えることができるという利点がある。
【００１７】
本考案は、その精神及び必須の特徴事項から逸脱することなく他のやり方で実施することができる。従って、本明細書に記載した好ましい実施例は例示的なものであり、限定的なものではない。
【図面の簡単な説明】
【図１】本考案の実施形態１のローターの構造による分解斜視図である。
【図２】本考案の実施形態１のローターの構造による組立てられた状態の断面図である。
【図３】図２のＡ−Ａ線に沿った断面図である。
【図４】本考案の実施形態２のローターの構造による組立てられた状態の断面図である。
【図５】図４のＢの部分の拡大図である。
【図６】従来のファンホイールの構造による組立てられた状態の断面図である。
【符号の説明】
１　　ハブ　　　　　　　　　　　　１１　　内上平面
１１１　　軸座　　　　　　　　　　　　１２　　中心軸
１３　　羽根　　　　　　　　　　　　１４　　内環状壁
１４１　　突出リブ　　　　　　　　　　１５　　係止部材
１５１　　逆さフック　　　　　　　　　１６　　孔
２　　金属リング　　　　　　　　　２１　　係止縁端
３　　磁石リング
９０　　モーター　　　　　　　　　　９１　　ハブ座
９２　　軸管　　　　　　　　　　　　９３　　ステータ
９４　　軸受　　　　　　　　　　　　９５　　ローター
９６　　中心軸　　　　　　　　　　　９７　　金属リング
９８　　磁石リング
【図１】
0003097932.tif 000003
【図２】
0003097932.tif 000004
【図３】
0003097932.tif 000005
【図４】
0003097932.tif 000006
【図５】
0003097932.tif 000007
【図６】
0003097932.tif 000008